(57)【要約】【課題】水平動および垂直動という複合的な震動に対しても効率的に免震するようにした吊り下げ物体免震装置を提供する。【解決手段】取り付け金具２０により下側から支えられる第１免震装置１０と第２免震装置１０’の下側免震部１２に対して、吊り下げ物体固定金具３０により連結された第１免震装置１０と第２免震装置１０’の上側免震部１１が一体に移動して、吊り下げ物体固定金具３０とともに吊り下げ物体２を免震するような吊り下げ物体免震装置１とした。【選択図】図１
2008164049.tif 000002
【特許請求の範囲】
【請求項１】
下側免震部と、下側免震部に固定されて水平方向に移動可能になされたスライド装置と、スライド装置に固定されて下側免震部に対してスライド可能になされた上側免震部と、を有する第１免震装置と、
下側免震部と、下側免震部に固定されて水平方向に移動可能になされたスライド装置と、スライド装置に固定されて下側免震部に対してスライド可能になされた上側免震部と、を有する第２免震装置と、
第１免震装置と第２免震装置とに渡されるように固定され、吊り下げ物体を吊り下げる吊り下げ物体固定金具と、
を備え、下側から支えられる第１免震装置と第２免震装置の下側免震部に対して、吊り下げ物体固定金具により連結された第１免震装置と第２免震装置の上側免震部が一体に移動して、吊り下げ物体固定金具とともに吊り下げ物体を免震することを特徴とする吊り下げ物体免震装置。
【請求項２】
請求項１に記載の吊り下げ物体免震装置において、
天井に取り付けられ、第１免震装置と第２免震装置の下側免震部を下側から支える取り付け金具を備えることを特徴とする吊り下げ物体免震装置。
【請求項３】
請求項１に記載の吊り下げ物体免震装置において、
第１免震装置と第２免震装置の下側免震部は、天井板の天井梁に取り付けられることを特徴とする吊り下げ物体免震装置。
【請求項４】
請求項１に記載の吊り下げ物体免震装置において、
天井部および天井板に取り付けられるとともに、第１免震装置と第２免震装置の下側免震部を下側から支える取り付け金具を備えることを特徴とする吊り下げ物体免震装置。
【請求項５】
請求項１〜請求項４の何れか一項に記載の吊り下げ物体免震装置において、
第１免震部と第２免震部のスライド装置がその移動限界まで移動したときに、取り付け金具または天井板の孔と非接触を維持しつつ停止することを特徴とする吊り下げ物体免震装置。
【請求項６】
請求項１〜請求項５の何れか一項に記載の吊り下げ物体免震装置において、
第１免震部と第２免震部のスライド装置は、
下側免震部にガイドレール部が取り付けられてスライド部が水平面と略平行な一軸方向に移動する下側スライドガイドと、
下側スライドガイドのスライド部の移動方向に対し略垂直方向であって水平面と略平行に移動するようにスライド部が取り付けられ、かつガイドレール部が上側免震部に取付けられる上側スライドガイドと、
上側スライドガイドと下側スライドガイドのスライド部の移動に応じて伸縮するように取り付けられ、上側免震部と下側免震部とを所定位置にあるように付勢するばねと、
を備えることを特徴とする吊り下げ物体免震装置。
【請求項７】
請求項６に記載の吊り下げ物体免震装置において、
第１免震装置と第２免震装置は、複数のスライド装置を並べて配置するものであり、これら複数のスライド装置のそれぞれの上側スライドガイドのスライド方向を一致させ、かつ複数のスライド装置のそれぞれの下側スライドガイドのスライド方向を一致させることを特徴とする吊り下げ物体免震装置。
【請求項８】
請求項１〜請求項７の何れか一項に記載の吊り下げ物体免震装置において、
第１免震装置と第２免震装置の下側免震部の下側には、摩擦体となる下面シートが配置されることを特徴とする吊り下げ物体免震装置。
【請求項９】
請求項８に記載の吊り下げ物体免震装置において、
第１免震装置と第２免震装置の下側免震部は、下面シートの上に下面フレームを固着した構造であることを特徴とする吊り下げ物体免震装置。
【請求項１０】
請求項１〜請求項９の何れか一項に記載の吊り下げ物体免震装置において、
第１免震装置と第２免震装置の上側免震部は、上面フレームに上面パネルを固着した構造であることを特徴とする吊り下げ物体免震装置。
【発明の詳細な説明】
【技術分野】
【０００１】
本発明は、吊り下げ物体に伝わる振動を減衰・吸収して吊り下げ物体を保護する吊り下げ物体免震装置に関する。
【背景技術】
【０００２】
天井部から吊り下げられる吊り下げ物体に対する免震装置の従来技術として、例えば、特許文献１（特開２００６−２５８１１２，発明の名称：電子機器の免震装置）などが開示されている。この従来技術の免震装置は、天井部から吊り下げられるコンピュータ・サーバ・通信装置などの電子機器を、地震等の振動から守る、というものである。
【０００３】
【特許文献１】特開２００６−２５８１１２号公報（段落番号００１０〜００１８，図１〜図６）
【発明の開示】
【発明が解決しようとする課題】
【０００４】
特許文献１の免震装置は、特許文献１の図３でも示すように、球座に支持球を回転可能に配置することでアンカーを水平方向に移動可能として、水平方向の免震機能を確保している。しかしながら、上下方向に揺れる垂直動の地震の場合、アンカーが支持球から浮き上がるような事態も生じうるものであり、強い衝撃を受けてコンピュータ機器に振動が加わるおそれもあった。
また、アンカーは水平方向に自在に動きうるものであるため、貫通穴につり下げワイヤが接触して、電子機器に震動が伝わるおそれもあった。
【０００５】
そこで、本発明は上記の課題を解決するためになされたものであり、その目的は、水平動および垂直動という複合的な震動に対しても効率的に免震するようにした吊り下げ物体免震装置を提供することにある。
【課題を解決するための手段】
【０００６】
本発明の請求項１に係る吊り下げ物体免震装置は、
下側免震部と、下側免震部に固定されて水平方向に移動可能になされたスライド装置と、スライド装置に固定されて下側免震部に対してスライド可能になされた上側免震部と、を有する第１免震装置と、
下側免震部と、下側免震部に固定されて水平方向に移動可能になされたスライド装置と、スライド装置に固定されて下側免震部に対してスライド可能になされた上側免震部と、を有する第２免震装置と、
第１免震装置と第２免震装置とに渡されるように固定され、吊り下げ物体を吊り下げる吊り下げ物体固定金具と、
を備え、下側から支えられる第１免震装置と第２免震装置の下側免震部に対して、吊り下げ物体固定金具により連結された第１免震装置と第２免震装置の上側免震部が一体に移動して、吊り下げ物体固定金具とともに吊り下げ物体を免震することを特徴とする。
【０００７】
また、本発明の請求項２に係る吊り下げ物体免震装置は、
請求項１に記載の吊り下げ物体免震装置において、
天井に取り付けられ、第１免震装置と第２免震装置の下側免震部を下側から支える取り付け金具を備えることを特徴とする。
【０００８】
また、本発明の請求項３に係る吊り下げ物体免震装置は、
請求項１に記載の吊り下げ物体免震装置において、
第１免震装置と第２免震装置の下側免震部は、天井板の天井梁に取り付けられることを特徴とする。
【０００９】
また、本発明の請求項４に係る吊り下げ物体免震装置は、
請求項１に記載の吊り下げ物体免震装置において、
天井部および天井板に取り付けられるとともに、第１免震装置と第２免震装置の下側免震部を下側から支える取り付け金具を備えることを特徴とする。
【００１０】
また、本発明の請求項５に係る吊り下げ物体免震装置は、
請求項１〜請求項４の何れか一項に記載の吊り下げ物体免震装置において、
第１免震部と第２免震部のスライド装置がその移動限界まで移動したときに、取り付け金具または天井板の孔と非接触を維持しつつ停止することを特徴とする。
【００１１】
また、本発明の請求項６に係る吊り下げ物体免震装置は、
請求項１〜請求項５の何れか一項に記載の吊り下げ物体免震装置において、
第１免震部と第２免震部のスライド装置は、
下側免震部にガイドレール部が取り付けられてスライド部が水平面と略平行な一軸方向に移動する下側スライドガイドと、
下側スライドガイドのスライド部の移動方向に対し略垂直方向であって水平面と略平行に移動するようにスライド部が取り付けられ、かつガイドレール部が上側免震部に取付けられる上側スライドガイドと、
上側スライドガイドと下側スライドガイドのスライド部の移動に応じて伸縮するように取り付けられ、上側免震部と下側免震部とを所定位置にあるように付勢するばねと、
を備えることを特徴とする。
【００１２】
また、本発明の請求項７に係る吊り下げ物体免震装置は、
請求項６に記載の吊り下げ物体免震装置において、
第１免震装置と第２免震装置は、複数のスライド装置を並べて配置するものであり、これら複数のスライド装置のそれぞれの上側スライドガイドのスライド方向を一致させ、かつ複数のスライド装置のそれぞれの下側スライドガイドのスライド方向を一致させることを特徴とする。
【００１３】
また、本発明の請求項８に係る吊り下げ物体免震装置は、
請求項１〜請求項７の何れか一項に記載の吊り下げ物体免震装置において、
第１免震装置と第２免震装置の下側免震部の下側には、摩擦体となる下面シートが配置されることを特徴とする。
【００１４】
また、本発明の請求項９に係る吊り下げ物体免震装置は、
請求項８に記載の吊り下げ物体免震装置において、
第１免震装置と第２免震装置の下側免震部は、下面シートの上に下面フレームを固着した構造であることを特徴とする。
【００１５】
また、本発明の請求項１０に係る吊り下げ物体免震装置は、
請求項１〜請求項９の何れか一項に記載の吊り下げ物体免震装置において、
第１免震装置と第２免震装置の上側免震部は、上面フレームに上面パネルを固着した構造であることを特徴とする。
【発明の効果】
【００１６】
以上のような本発明によれば、水平動および垂直動という複合的な震動に対しても効率的に免震するようにした吊り下げ物体免震装置を提供することができる。
【発明を実施するための最良の形態】
【００１７】
本発明を実施するための最良の形態について図に基づいて以下に説明する。図１は本形態の吊り下げ物体免震装置の説明図、図２，図３は第１，第２免震装置の構成図、図４はスライド装置による移動方向およびばね付勢方向の説明図、図５はスライド装置の構成図である。
吊り下げ物体免震装置１は、図１で示すように、第１免震装置１０、第２免震装置１０’、取り付け金具２０、吊り下げ物体固定具３０、を備えている。取り付け金具２０は、天井部３に取り付けられている。そして、吊り下げ物体固定具３０には、吊り下げ物体２が固定されている。吊り下げ物体２は、高価なシャンデリア、空調機、カメラ、その他の照明等である。
【００１８】
第１免震装置１０および第２免震装置１０’は、図２，図３で示すように、上側免震部１１、下側免震部１２、スライド装置１３を備えている。ここで第１免震装置１０および第２免震装置１０’は同じ構造であるため、以下、第１免震装置１０のみ説明することとし、第２免震装置１０’は重複する説明を省略する。
【００１９】
上側免震部１１は、図２で示すように、上面パネル１１１、上面フレーム１１２を備える。
この上側免震部１１は、多数の鉄骨部材を組立てた上面フレーム１１２に金属製板体の上面パネル１１１を固着した構造体として形成している。
【００２０】
下側免震部１２は、下面フレーム１２１、下面シート１２２を備える。
この下側免震部１２は、金属製板体にゴムなどの摩擦体を貼付けて下面シート１２２を形成し、多数の鉄骨部材を組立てた下面フレーム１２１にこの下面シート１２２を固着した構造体として形成している。
【００２１】
スライド装置１３は、一方向にのみ動く直動型のスライドガイドを２個用いる。本発明で想定する直動型のスライドガイドとは、図５で示す上側スライドガイド１３１を例に挙げると、直線状のガイドレール部１３１ｂに沿ってスライド部１３１ａがＸ方向に滑らかに摺動する機械要素であり、一般的に市販されている。この直動型のスライドガイドを２個組み合わせることでＸ−Ｙ方向の移動を実現する。
【００２２】
スライド装置１３は、上側スライドガイド１３１、下側スライドガイド１３２、連結プレート１３３、ばね１３４、ばね１３５を備える。
具体的には、図５で示すように 上側スライドガイド１３１および下側スライドガイド１３２が略鉛直方向であるＸ−Ｙ方向に向くようにし、スライド部１３１ａ，１３２ａを連結プレート１３３を介して取り付ける。連結プレート１３３には、スライド部１３１ａ，１３２ａに設けられた図示しないねじ孔と一致するように図示しない孔が設けられ、図５で示す矢印イ，ロの方向にねじを螺挿して固定する。さらにスライド部１３１ａにばね１３４，１３５の一端を取り付ける。ばね１３４，１３５の他端は下側免震部１２に取り付けられる。ばね１３４，１３５は伸縮し、ガイドレール部１３１ｂ，１３２ｂの略中央でスライド部１３１ａが停止するような付勢力を与える。このようなスライド装置１３の上側スライドガイド１３１のスライド部１３１ａは、下側スライドガイド１３２のスライド部１３２ａの移動方向に対し略垂直方向であって水平面と略平行に移動する。
【００２３】
図２で示すように、このようなスライド装置１３の下側には下側免震部１２が配置され、図５で示すように、下側スライドガイド１３２では、水平面と略平行な一軸方向に移動するように下側免震部１２にガイドレール部１３２ｂが取り付けられる。また、スライド装置１３の上側スライドガイド１３１は、ガイドレール部１３１ｂが上側免震部１１に取付けられる。下側免震部１２に対して上側免震部１１はＸ方向とＹ方向とを複合した水平方向に移動できるようになる。
【００２４】
そして、図２，図４で示すように、このようなスライド装置１３が複数個（図２では２個）並べられて下側免震部１２に取付固定される。この取付け位置であるが、図４で示すように第１免震装置１０の長手方向に２個並べてスライド装置１３を配置するものであり、これら複数のスライド装置１３のそれぞれの上側スライドガイド１３１のガイドレール部１３１ｂの直線方向（つまり、スライド部１３１ａに対するガイドレール部１３１ｂのスライド方向）を第１免震装置１０の短手方向に一致させるとともに、複数のスライド装置１３のそれぞれの下側スライドガイド１３２のガイドレール部１３２ｂの直線方向（つまり、スライド部１３２ａのスライド方向）を第１免震装置１０の長手方向に一致させている。
【００２５】
これにより、第１免震装置１０の短手方向では上側スライドガイド１３１のスライド部１３１ａに対して上側免震部１１とガイドレール部１３１ｂのみがスライドし、また、第１免震装置１０の長手方向では下側スライドガイド１３２のガイドレール部１３２ｂに対し上側免震部１１、上側スライドガイド１３１、連結部１３３、下側スライドガイド１３２のスライド部１３２ａがともにスライドすることとなり、スライドする高さを統一して滑りやすさを確保している。
【００２６】
第１免震装置１０では、図４でも示すように、下側免震部１２に対して上側免震部１１はＸ方向やＹ方向およびその複合方向、つまり水平方向に移動することができ、水平方向の移動を確保している。また、通常時はばね１３４，１３５の矢印Ａ，Ｂ，Ｃ，Ｄ方向の付勢力により下側免震部１２と上側免震部１１とは上から見てはみ出ることなく重なって図３で示す同じ位置（ホームポジション）を維持するように停止する。
第１免震装置１０はこのようなものである。
【００２７】
取り付け金具２０は、図１で示すように、例えばコンクリート躯体のスラブ床下面である天井部３に取り付けられる。そして、取り付け金具２０の底部に設けられた孔部２１の両側に第１免震装置１０および第２免震装置１０’が取り付けられる。これら第１免震装置１０および第２免震装置１０’の下側免震部１２がそれぞれ取り付け金具２０に取り付けられる。
【００２８】
吊り下げ物体固定具３０は、さらに板体３１、棒体３２を備えている。
板体３１は、第１免震装置１０および第２免震装置１０’の上側免震部１１に渡されるように取り付けられる。この板体３１の中央では棒体３２の一端が取り付けられている。例えば、ねじ留めや溶接により板体３１に棒体３２が強固に固定されるようにする。
棒体３２は、中実な円柱体、または中空な円筒体というものであり、堅牢な構造を有している。
このような棒体３２の先端に吊り下げ物体２が固定される。そして、最終仕上げとして吊り下げ物体免震装置１が取り付けられた天井部３や取り付け金具２０の美観を向上させるべく、布や樹脂で囲い飾りを付ける。
吊り下げ物体免震装置１はこのような構成を有する。
【００２９】
続いて、このような吊り下げ物体免震装置１の動作について説明する。図６は吊り下げ物体免震装置の免震の説明図であり、図６（ａ）は通常時の位置の説明図、図６（ｂ）は免震動作の説明図である。本形態では天井板が無く天井面のみしかない場合を想定している。吊り下げ物体免震装置１を取り付ける際、取り付け金具２０を直接、天井部３に固定する。また、取り付け金具２０には第１免震装置１０および第２免震装置１０’の二個の下側免震部１２が固定される。
【００３０】
第１免震装置１０および第２免震装置１０’では二個の下側免震部１２に対して、吊り下げ物体固定具３０の板体３１により連結された上側免震部１１が一体に移動する。このため吊り下げ物体固定具３０の棒体３２および吊り下げ物体２も第１免震装置１０および第２免震装置１０’により免震されつつ移動する。
【００３１】
ここで、通常時は図６（ａ）のようにばね１３４，１３５の作用により、上側免震部１１が図６（ａ）で示すようなホームポジションに位置して安定しているものとする。
そして、図６（ｂ）のように天井部３の揺れ方向に震動が加わった場合、取り付け金具２０および二個の下側免震部１２は天井部３の揺れ方向と同じ方向に移動するが、二個の上側免震部１１はスライド装置１３により滑るため地球を基準に見たとき元の位置に留まったままになる。これは、部屋の中では二個の上側免震部１１・吊り下げ物体固定具３０・吊り下げ物体２が揺れ方向と反対方向に移動するように見える。
【００３２】
しかしながら、図６（ｂ）のように下側免震部１２に対して上側免震部１１が移動した場合には、ばね１３４，１３５が伸縮することで、上側免震部１１が図６（ａ）で示すようなホームポジションへ戻るように作用する。このように移動方向とは反対方向に力が加わるため、吊り下げ物体２は殆ど揺れない。この力は下側免震部１２のホームポジションから上側免震部１１が離れるように移動すればするほど強くなるため、孔２１に棒体３２が接触することなく免震されることとなる。
【００３３】
また、図示しないが第１免震部１０および第２免震部１０’のスライド装置１３は、スライド部１３１ａ，１３２ａに対してガイドレール部１３１ｂ，１３２ｂがスライドするが、その移動限界まで移動したときにこれ以上移動できないようなストッパが設けてある。このストッパ当接時に取り付け金具２０の孔２１と棒体３２とが非接触となるようにしてあり、取り付け金具２０の孔２１と棒体３２とは確実に衝突を回避するようになされている。
このように水平方向については、十分な免震効果がある。
【００３４】
また、図示しないが上下に移動する垂直動の地震があった場合でもスライド部１３１ａ，１３２ａをガイドレール部１３１ｂ，１３２ｂから大幅に離れないようにして垂直動しない構成とすれば、垂直動に対して吊り下げ物体２は棒体３２等に拘束されるため、垂直動による移動が抑制される。また、機械的な遊び等により震動が伝わるが、ばね１３４，１３５の作用により、垂直方向の揺れも抑制される。このため、吊り下げ物体２に不用意な力が加わる事態を回避する。少なくとも従来技術のように飛び上がるような事態は確実に回避される。
これら吊り下げ物体免震装置１から吊り下げられた吊り下げ物体２は水平方向および垂直方向（特に水平方向の免震機能が高い）で免震されることとなる。
【００３５】
続いて、本発明の吊り下げ物体免震装置の他の形態について図を参照しつつ以下に説明する。図７は他の形態の吊り下げ物体免震装置の説明図であり、図７（ａ）は通常時の第１，第２免震装置の位置の説明図、図７（ｂ）は第１，第２免震装置の免震動作の説明図である。
吊り下げ物体免震装置１’は、図７で示すように、第１免震装置１０、第２免震装置１０’、吊り下げ物体固定具３０を備えている。本形態では前記の取り付け金具２０を使用しないこととなる以外は同じ構成を用いるものであり、同じ符号を付すとともに重複する説明を省略する。
【００３６】
先に図１〜図６を用いて説明した形態では天井板がない場合であって天井部３に直接的に取り付け金具２０を固定する構成であったが、本形態は天井板４が有る場合である。例えば、図７（ａ）で示すようにマンションなど床スラブの下面となる天井部３に他の天井板４が設けられている場合に、天井裏には、基本的には軽量鉄骨（図示せず）およびその軽量鉄骨を固定するための天井梁５が存在し、これらに天井板４を固定する。本形態では天井梁５に吊り下げ物体免震装置１の二個の下側免震部１２を取り付け、棒体３２を天井板４の孔４１を貫通させつつ、この棒体３２が吊り下げ物体２を吊り下げる、というものである。また、最終仕上げとして天井板４に美観を向上させるため、布や樹脂で囲い飾りを付ける。
【００３７】
免震効果については第１免震装置１０および第２免震装置１０’によるものであって先に説明したため、重複する説明を省略する。
このような吊り下げ物体免震装置１’でも吊り下げ物体２は水平方向および垂直方向で免震されることとなる。
【００３８】
続いて、本発明の吊り下げ物体免震装置の他の形態について図を参照しつつ以下に説明する。図８は他の形態の吊り下げ物体免震装置の説明図であり、図８（ａ）は通常時の第１，第２免震装置の位置の説明図、図８（ｂ）は第１，第２免震装置の免震動作の説明図である。
吊り下げ物体免震装置１”は、図８で示すように、第１免震装置１０、第２免震装置１０’、取り付け金具２０、吊り下げ物体固定具３０を備えている。本形態では図１〜図６を用いて説明した吊り下げ物体免震装置１と同じ構成を用いるものであり、同じ符号を付すとともに重複する説明を省略する。
【００３９】
先に図７を用いて説明した形態では天井板４の天井梁５に直接的に固定する構成であったが、本形態ではマンションなど床スラブの下面となる天井部３に他の天井板４が設けられているが天井裏に梁が無い場合である。本形態では天井部３および天井板４に吊り下げ物体免震装置１”の取り付け金具２０を取り付け、棒体３２を取り付け金具２０の孔２１および天井板４の孔４１を貫通させつつ、この棒体３２が吊り下げ物体２をつるす、というものである。また、最終仕上げとして天井板４に美観を向上させるため、布や樹脂で囲い飾りを付ける。
【００４０】
免震効果については第１免震装置１０および第２免震装置１０’によるものであって先に説明したため、重複する説明を省略する。
このような吊り下げ物体免震装置１”でも吊り下げ物体２は水平方向および垂直方向で免震されることとなる。
【００４１】
以上、本発明の免震装置１，１’，１”について説明した。なお、免震装置１０ではスライド装置１３を２個並べた構成について説明したが、３個以上のスライド装置１３を並べる構成としても良い。
【００４２】
また、上記の第１免震装置１０や第２免震装置１０’に代えてボールベアリングコロ方式、ダンパー、ばね、ワイヤー方式を採用することができるが、垂直方向や水平方向の免震や孔へ衝突しないようにする機能が採用可能なことから、上記の第１免震装置１０や第２免震装置１０’の採用が好ましい。
【図面の簡単な説明】
【００４３】
【図１】本発明を実施するための最良の形態の吊り下げ物体免震装置の説明図である。
【図２】第１，第２免震装置の構成図である。
【図３】第１，第２免震装置の構成図である。
【図４】スライド装置による移動方向およびばね付勢方向の説明図である。
【図５】スライド装置の構成図である。
【図６】吊り下げ物体免震装置の免震の説明図であり、図６（ａ）は通常時の位置の説明図、図６（ｂ）は免震動作の説明図である。
【図７】他の形態の吊り下げ物体免震装置の説明図であり、図７（ａ）は通常時の第１，第２免震装置の位置の説明図、図７（ｂ）は第１，第２免震装置の免震動作の説明図である。
【図８】他の形態の吊り下げ物体免震装置の説明図であり、図８（ａ）は通常時の第１，第２免震装置の位置の説明図、図８（ｂ）は第１，第２免震装置の免震動作の説明図である。
【符号の説明】
【００４４】
１，１’，１”：吊り下げ物体免震装置
２：吊り下げ物体
３：天井部
４：天井板
５：天井梁
１０：免震装置
１１：上側免震部
１１１：上面パネル
１２１：上面フレーム
１２：下側免震部
１２１：下面フレーム
１２２：下面シート
１３：スライド装置
１３１：上側スライドガイド
１３１ａ：スライド部
１３１ｂ：ガイドレール部
１３２：下側スライドガイド
１３２ａ：スライド部
１３２ｂ：ガイドレール部
１３３：連結プレート
１３４：ばね
１３５：ばね
２０：取り付け金具
３０：吊り下げ物体固定具
３１：板体
３２：棒体
【図１】
2008164049.tif 000003
【図２】
2008164049.tif 000004
【図３】
2008164049.tif 000005
【図４】
2008164049.tif 000006
【図５】
2008164049.tif 000007
【図６】
2008164049.tif 000008
【図７】
2008164049.tif 000009
【図８】
2008164049.tif 000010